(57)【要約】【課題】  ＤＴＰ印刷によって作成された印刷物のサンプルの確認や完成した印刷物の納品を簡単且つ短時間に行うことができる印刷システムを提供する。【解決手段】  印刷物作成者１に印刷情報を作成するコンピュータ２と該コンピュータ２と接続されるＧ／Ｗサーバ３とを備え、Ｇ／Ｗサーバ３にはコンピュータ２で作成された印刷情報を格納するメモリ格納手段７を有し、印刷物発注者４にはＩＰアドレスが割り当てられたプリンタ装置５とコンピュータ１１を備え、Ｇ／Ｗサーバ３と印刷物発注者４のプリンタ装置５及びコンピュータ１１とをインターネット６を介して接続し、コンピュータ１１がインターネット６を介してＧ／Ｗサーバ３に、コンピュータ１１に割り当てられたＩＰアドレスを指定して前記印刷情報の出力命令を出すと、Ｇ／Ｗサーバ３がインターネット６を介してＩＰアドレスが割り当てられたプリンタ装置５に、メモリ格納手段７に格納された前記印刷情報を出力命令するようにした。【選択図】  図１
2005062982.tif 000002
【特許請求の範囲】
【請求項１】
印刷物作成者に印刷情報を作成するコンピュータと該コンピュータと接続されるＧ／Ｗサーバとを備え、該Ｇ／Ｗサーバには前記印刷物作成者のコンピュータで作成された印刷情報を格納するメモリ格納手段を有し、印刷物発注者にはＩＰアドレスが割り当てられたプリンタ装置とコンピュータを備え、
前記印刷物作成者のＧ／Ｗサーバと前記印刷物発注者のプリンタ装置及びコンピュータとをインターネットを介して接続し、印刷物発注者のコンピュータがインターネットを介してＧ／Ｗサーバに、印刷物発注者のコンピュータに割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする印刷システム。
【請求項２】
印刷物作成者に印刷情報を作成するコンピュータを備え、印刷物発注者にはＩＰアドレスが割り当てられたプリンタ装置とコンピュータを備え、伝送管理センターには前記印刷物作成者のコンピュータで作成された印刷情報を格納するメモリ格納手段を有するＧ／Ｗサーバを備え、
前記印刷物作成者のコンピュータと伝送管理センターのＧ／Ｗサーバとをインターネットを介して接続するとともに伝送管理センターのＧ／Ｗサーバと前記印刷物発注者のプリンタ装置及びコンピュータとをインターネットを介して接続し、前記印刷物作成者のコンピュータで作成された印刷情報をインターネットを介してＧ／Ｗサーバのメモリ格納手段に格納し、印刷物発注者のコンピュータがインターネットを介してＧ／Ｗサーバに、印刷物発注者のコンピュータに割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする印刷システム。
【請求項３】
印刷物作成者に印刷情報を作成するコンピュータを備え、印刷物発注者にはＩＰアドレスが割り当てられたプリンタ装置とコンピュータを備え、伝送管理センターにはコンピュータと該コンピュータと接続されるＧ／Ｗサーバを備え、該Ｇ／Ｗサーバには前記印刷物作成者のコンピュータで作成された印刷情報を格納するメモリ格納手段を有し、
前記印刷物作成者のコンピュータと伝送管理センターのコンピュータとをインターネットを介して接続するとともに伝送管理センターのＧ／Ｗサーバと前記印刷物発注者のプリンタ装置及びコンピュータとをインターネットを介して接続し、前記印刷物作成者のコンピュータで作成された印刷情報をインターネット及び伝送管理センターのコンピュータを介してＧ／Ｗサーバのメモリ格納手段に格納し、印刷物発注者のコンピュータがインターネットを介してＧ／Ｗサーバに、印刷物発注者のコンピュータに割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする印刷システム。
【請求項４】
印刷物作成者に印刷情報を作成するコンピュータと該コンピュータと接続されるＧ／Ｗサーバとを備え、該Ｇ／Ｗサーバには前記印刷物作成者のコンピュータで作成された印刷情報を格納するメモリ格納手段を有し、印刷物発注者にはＩＰアドレスが割り当てられたプリンタ装置とコンピュータを備え、
前記印刷物作成者のＧ／Ｗサーバと前記印刷物発注者のプリンタ装置及びコンピュータとをインターネットを介して接続し、印刷物発注者のコンピュータがインターネットを介してＧ／Ｗサーバに、印刷物発注者のコンピュータに割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする印刷方法。
【請求項５】
印刷物作成者に印刷情報を作成するコンピュータを備え、印刷物発注者にはＩＰアドレスが割り当てられたプリンタ装置とコンピュータを備え、伝送管理センターには前記印刷物作成者のコンピュータで作成された印刷情報を格納するメモリ格納手段を有するＧ／Ｗサーバを備え、
前記印刷物作成者のコンピュータと伝送管理センターのＧ／Ｗサーバとをインターネットを介して接続するとともに伝送管理センターのＧ／Ｗサーバと前記印刷物発注者のプリンタ装置及びコンピュータとをインターネットを介して接続し、前記印刷物作成者のコンピュータで作成された印刷情報をインターネットを介してＧ／Ｗサーバのメモリ格納手段に格納し、印刷物発注者のコンピュータがインターネットを介してＧ／Ｗサーバに、印刷物発注者に割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする印刷方法。
【請求項６】
印刷物作成者に印刷情報を作成するコンピュータを備え、印刷物発注者にはＩＰアドレスが割り当てられたプリンタ装置とコンピュータを備え、伝送管理センターにはコンピュータと該コンピュータと接続されるＧ／Ｗサーバを備え、該Ｇ／Ｗサーバには前記印刷物作成者のコンピュータで作成された印刷情報を格納するメモリ格納手段を有し、
前記印刷物作成者のコンピュータと伝送管理センターのコンピュータとをインターネットを介して接続するとともに伝送管理センターのＧ／Ｗサーバと前記印刷物発注者のプリンタ装置及びコンピュータとをインターネットを介して接続し、前記印刷物作成者のコンピュータで作成された印刷情報をインターネット及び伝送管理センターのコンピュータを介してＧ／Ｗサーバのメモリ格納手段に格納し、印刷物発注者のコンピュータがインターネットを介してＧ／Ｗサーバに、印刷物発注者のコンピュータに割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする印刷方法。
【発明の詳細な説明】
【技術分野】
【０００１】
本発明は、印刷物発注者からの印刷物の発注を受けてＤＴＰ（Ｄｅｓｋｔｏｐ  Ｐｕｂｌｉｓｈｉｎｇ）によって作成された印刷物のサンプルの確認及び完成した印刷物の納品を簡単且つ短時間に行うことができる印刷システムに関する。
【背景技術】
【０００２】
近年、コンピュータを利用して各種の印刷物を作成するＤＴＰ（Ｄｅｓｋｔｏｐ  Ｐｕｂｌｉｓｈｉｎｇ）印刷が普及し、印刷業界も、印刷物発注者から受けた印刷物をＤＴＰ印刷により作成し、納品するといったことが多く行われるようになってきている。
【０００３】
従来、一般に行われている印刷システムでは、印刷物を発注した印刷物発注者は、その依頼から作業、サンプルの確認、完成した印刷物の納品迄の間、印刷物作成者に出向き、或いは印刷物作成者に来てもらい、また、サンプルや完成した印刷物を郵送によって受け渡しする、といった過程を経ている。コンピュータを利用したＤＴＰ印刷により印刷物を作成した場合であっても、前記のような過程を経て印刷物が納品されている。
【発明の開示】
【発明が解決しようとする課題】
【０００４】
上記のような印刷システムによれば、印刷物発注者による印刷物のサンプルの確認や完成した印刷物の納品は、印刷物発注者が印刷物作成者に直接出向いたり、印刷物作成者がサンプルや完成した印刷物を郵便等により送っているため、手間や時間がかかる。しかも、サンプルを見て修正があるような場合は、更に一層の手間や時間がかかるといった問題がある。
【０００５】
このような印刷物のサンプルの確認や完成した印刷物の納品の際の手間や時間を省くため、ＤＴＰ印刷によって作成された印刷情報を、電子メールによって印刷物発注者に送信して印刷物発注者のプリンタに出力し、印刷物発注者にサンプルを確認してもらい、また出力した印刷物を完成品として納品するといったことが提案されているが、この場合、印刷物発注者にも、印刷物作成者と同じパソコン等のハードウェアやソフトウェアを備えていなければならず、このため設備投資の負担がかかるといった問題や、パソコンの操作に熟練が要求されるといった問題がある。
【０００６】
本発明の目的は、ＤＴＰ印刷によって作成された印刷物のサンプルの確認や完成した印刷物の納品を簡単且つ短時間に行うことができる印刷システム及び印刷方法を提供することにある。
【課題を解決するための手段】
【０００７】
上記目的を達成するために、請求項１に記載の印刷システムは、印刷物作成者に印刷情報を作成するコンピュータと該コンピュータと接続されるＧ／Ｗサーバとを備え、該Ｇ／Ｗサーバには前記印刷物作成者のコンピュータで作成された印刷情報を格納するメモリ格納手段を有し、印刷物発注者にはＩＰアドレスが割り当てられたプリンタ装置とコンピュータを備え、前記印刷物作成者のＧ／Ｗサーバと前記印刷物発注者のプリンタ装置及びコンピュータとをインターネットを介して接続し、印刷物発注者のコンピュータがインターネットを介してＧ／Ｗサーバに、印刷物発注者のコンピュータに割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする。
【０００８】
このような請求項１に記載の印刷システムによると、印刷物作成者のコンピュータで作成された印刷情報をＧ／Ｗサーバのメモリ格納手段に格納することができ、印刷物発注者のコンピュータを操作しインターネットを介して前記Ｇ／Ｗサーバに、印刷物発注者のコンピュータに割り当てられたＩＰアドレスを指定して前記印刷情報の出力命令を出すことにより、前記Ｇ／Ｗサーバのメモリ格納手段に格納された印刷情報を、インターネットを介してＩＰアドレスの認識により位置情報が確定された印刷物発注者のプリンタ装置から前記印刷情報を出力させることができる。従って、印刷物発注者のプリンタ装置に、印刷物作成者のプリンタ装置と同じ条件を備えておくことにより、印刷物作成者のコンピュータで作成された印刷情報を印刷物作成者のプリンタ装置で出力して得た印刷物のサンプルや完成した印刷物と同じものを、印刷物発注者のプリンタ装置から前記印刷情報を出力させて得ることができる。
【０００９】
請求項２に記載の印刷システムは、印刷物作成者に印刷情報を作成するコンピュータを備え、印刷物発注者にはＩＰアドレスが割り当てられたプリンタ装置とコンピュータを備え、伝送管理センターには前記印刷物作成者のコンピュータで作成された印刷情報を格納するメモリ格納手段を有するＧ／Ｗサーバを備え、前記印刷物作成者のコンピュータと伝送管理センターのＧ／Ｗサーバとをインターネットを介して接続するとともに伝送管理センターのＧ／Ｗサーバと前記印刷物発注者のプリンタ装置及びコンピュータとをインターネットを介して接続し、前記印刷物作成者のコンピュータで作成された印刷情報をインターネットを介してＧ／Ｗサーバのメモリ格納手段に格納し、印刷物発注者のコンピュータがインターネットを介してＧ／Ｗサーバに、印刷物発注者のコンピュータに割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする。
【００１０】
このような請求項２に記載の印刷システムによると、印刷物作成者のコンピュータで作成された印刷情報を、印刷物作成者のコンピュータを操作することにより、インターネットを介してＧ／Ｗサーバのメモリ格納手段に格納することができ、印刷物発注者のコンピュータを操作しインターネットを介して前記Ｇ／Ｗサーバに、印刷物発注者のコンピュータに割り当てられたＩＰアドレスを指定して前記印刷情報の出力命令を出すことにより、前記Ｇ／Ｗサーバのメモリ格納手段に格納された印刷情報を、インターネットを介してＩＰアドレスの認識により位置情報が確定された印刷物発注者のプリンタ装置から前記印刷情報を出力させることができる。従って、印刷物発注者のプリンタ装置に、印刷物作成者のプリンタ装置と同じ条件を備えておくことにより、印刷物作成者のコンピュータで作成された印刷情報を印刷物作成者のプリンタ装置で出力して得た印刷物のサンプルや完成した印刷物と同じものを、印刷物発注者のプリンタ装置から前記印刷情報を出力させて得ることができる。
【００１１】
請求項３に記載の印刷システムは、印刷物作成者に印刷情報を作成するコンピュータを備え、印刷物発注者にはＩＰアドレスが割り当てられたプリンタ装置とコンピュータを備え、伝送管理センターにはコンピュータと該コンピュータと接続されるＧ／Ｗサーバを備え、該Ｇ／Ｗサーバには前記印刷物作成者のコンピュータで作成された印刷情報を格納するメモリ格納手段を有し、前記印刷物作成者のコンピュータと伝送管理センターのコンピュータとをインターネットを介して接続するとともに伝送管理センターのＧ／Ｗサーバと前記印刷物発注者のプリンタ装置及びコンピュータとをインターネットを介して接続し、前記印刷物作成者のコンピュータで作成された印刷情報をインターネット及び伝送管理センターのコンピュータを介してＧ／Ｗサーバのメモリ格納手段に格納し、印刷物発注者のコンピュータがインターネットを介してＧ／Ｗサーバに、印刷物発注者のコンピュータに割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする。
【００１２】
このような請求項３に記載の印刷システムによると、印刷物作成者のコンピュータで作成された印刷情報を、印刷物作成者のコンピュータを操作することにより、インターネット及び伝送管理センターのコンピュータを介してＧ／Ｗサーバのメモリ格納手段に格納することができ、印刷物発注者のコンピュータを操作しインターネットを介して前記Ｇ／Ｗサーバに、印刷物発注者のコンピュータに割り当てられたＩＰアドレスを指定して前記印刷情報の出力命令を出すことにより、前記Ｇ／Ｗサーバのメモリ格納手段に格納された印刷情報を、インターネットを介してＩＰアドレスの認識により位置情報が確定された印刷物発注者のプリンタ装置から前記印刷情報を出力させることができる。従って、印刷物発注者のプリンタ装置に、印刷物作成者のプリンタ装置と同じ条件を備えておくことにより、印刷物作成者のコンピュータで作成された印刷情報を印刷物作成者のプリンタ装置で出力して得た印刷物のサンプルや完成した印刷物と同じものを、印刷物発注者のプリンタ装置から前記印刷情報を出力させて得ることができる。
【００１３】
請求項４に記載の印刷方法は、印刷物作成者に印刷情報を作成するコンピュータと該コンピュータと接続されるＧ／Ｗサーバとを備え、該Ｇ／Ｗサーバには前記印刷物作成者のコンピュータで作成された印刷情報を格納するメモリ格納手段を有し、印刷物発注者にはＩＰアドレスが割り当てられたプリンタ装置とコンピュータを備え、前記印刷物作成者のＧ／Ｗサーバと前記印刷物発注者のプリンタ装置及びコンピュータとをインターネットを介して接続し、印刷物発注者のコンピュータがインターネットを介してＧ／Ｗサーバに、印刷物発注者のコンピュータに割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする。
【００１４】
このような請求項４に記載の印刷方法によると、印刷物作成者のコンピュータで作成された印刷情報をＧ／Ｗサーバのメモリ格納手段に格納することができ、印刷物発注者のコンピュータを操作しインターネットを介して前記Ｇ／Ｗサーバに、印刷物発注者のコンピュータに割り当てられたＩＰアドレスを指定して前記印刷情報の出力命令を出すことにより、前記Ｇ／Ｗサーバのメモリ格納手段に格納された印刷情報を、インターネットを介してＩＰアドレスの認識により位置情報が確定された印刷物発注者のプリンタ装置から前記印刷情報を出力させることができる。従って、印刷物発注者のプリンタ装置に、印刷物作成者のプリンタ装置と同じ条件を備えておくことにより、印刷物作成者のコンピュータで作成された印刷情報を印刷物作成者のプリンタ装置で出力して得た印刷物のサンプルや完成した印刷物と同じものを、印刷物発注者のプリンタ装置から前記印刷情報を出力させて得ることができる。
【００１５】
請求項５に記載の印刷方法は、印刷物作成者に印刷情報を作成するコンピュータを備え、印刷物発注者にはＩＰアドレスが割り当てられたプリンタ装置とコンピュータを備え、伝送管理センターには前記印刷物作成者のコンピュータで作成された印刷情報を格納するメモリ格納手段を有するＧ／Ｗサーバを備え、前記印刷物作成者のコンピュータと伝送管理センターのＧ／Ｗサーバとをインターネットを介して接続するとともに伝送管理センターのＧ／Ｗサーバと前記印刷物発注者のプリンタ装置及びコンピュータとをインターネットを介して接続し、前記印刷物作成者のコンピュータで作成された印刷情報をインターネットを介してＧ／Ｗサーバのメモリ格納手段に格納し、印刷物発注者のコンピュータがインターネットを介してＧ／Ｗサーバに、印刷物発注者に割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする。
【００１６】
このような請求項５に記載の印刷方法によると、印刷物作成者のコンピュータで作成された印刷情報を、印刷物作成者のコンピュータを操作することにより、インターネットを介してＧ／Ｗサーバのメモリ格納手段に格納することができ、印刷物発注者のコンピュータを操作しインターネットを介して前記Ｇ／Ｗサーバに、印刷物発注者のコンピュータに割り当てられたＩＰアドレスを指定して前記印刷情報の出力命令を出すことにより、前記Ｇ／Ｗサーバのメモリ格納手段に格納された印刷情報を、インターネットを介してＩＰアドレスの認識により位置情報が確定された印刷物発注者のプリンタ装置から前記印刷情報を出力させることができる。従って、印刷物発注者のプリンタ装置に、印刷物作成者のプリンタ装置と同じ条件を備えておくことにより、印刷物作成者のコンピュータで作成された印刷情報を印刷物作成者のプリンタ装置で出力して得た印刷物のサンプルや完成した印刷物と同じものを、印刷物発注者のプリンタ装置から前記印刷情報を出力させて得ることができる。
【００１７】
請求項６に記載の印刷方法は、印刷物作成者に印刷情報を作成するコンピュータを備え、印刷物発注者にはＩＰアドレスが割り当てられたプリンタ装置とコンピュータを備え、伝送管理センターにはコンピュータと該コンピュータと接続されるＧ／Ｗサーバを備え、該Ｇ／Ｗサーバには前記印刷物作成者のコンピュータで作成された印刷情報を格納するメモリ格納手段を有し、前記印刷物作成者のコンピュータと伝送管理センターのコンピュータとをインターネットを介して接続するとともに伝送管理センターのＧ／Ｗサーバと前記印刷物発注者のプリンタ装置及びコンピュータとをインターネットを介して接続し、前記印刷物作成者のコンピュータで作成された印刷情報をインターネット及び伝送管理センターのコンピュータを介してＧ／Ｗサーバのメモリ格納手段に格納し、印刷物発注者のコンピュータがインターネットを介してＧ／Ｗサーバに、印刷物発注者のコンピュータに割り当てられたＩＰアドレスを指定して前記印刷情報の出力命令を出すと、前記Ｇ／Ｗサーバがインターネットを介して印刷物発注者の前記ＩＰアドレスが割り当てられたプリンタ装置に、メモリ格納手段に格納された前記印刷情報を出力命令するようにしたことを特徴とする。
【００１８】
このような請求項６に記載の印刷方法によると、印刷物作成者のコンピュータで作成された印刷情報を、印刷物作成者のコンピュータを操作することにより、インターネット及び伝送管理センターのコンピュータを介してＧ／Ｗサーバのメモリ格納手段に格納することができ、印刷物発注者のコンピュータを操作しインターネットを介して前記Ｇ／Ｗサーバに、印刷物発注者のコンピュータに割り当てられたＩＰアドレスを指定して前記印刷情報の出力命令を出すことにより、前記Ｇ／Ｗサーバのメモリ格納手段に格納された印刷情報を、インターネットを介してＩＰアドレスの認識により位置情報が確定された印刷物発注者のプリンタ装置から前記印刷情報を出力させることができる。従って、印刷物発注者のプリンタ装置に、印刷物作成者のプリンタ装置と同じ条件を備えておくことにより、印刷物作成者のコンピュータで作成された印刷情報を印刷物作成者のプリンタ装置で出力して得た印刷物のサンプルや完成した印刷物と同じものを、印刷物発注者のプリンタ装置から前記印刷情報を出力させて得ることができる。
【発明の効果】
【００１９】
以上のように本発明に係る印刷システム及び印刷方法によれば、印刷物作成者のコンピュータで作成された印刷情報をＧ／Ｗサーバのメモリ格納手段に格納することができ、印刷物発注者のコンピュータを操作しインターネットを介して前記Ｇ／Ｗサーバに、印刷物発注者のコンピュータに割り当てられたＩＰアドレスを指定して前記印刷情報の出力命令を出すことにより、前記Ｇ／Ｗサーバのメモリ格納手段に格納された印刷情報を、インターネットを介してＩＰアドレスの認識により位置情報が確定された印刷物発注者のプリンタ装置から前記印刷情報を出力させることができる。従って、印刷物発注者のプリンタ装置に、印刷物作成者のプリンタ装置と同じ条件を備えておくことにより、印刷物作成者のコンピュータで作成された印刷情報を印刷物作成者のプリンタ装置で出力して得た印刷物のサンプルや完成した印刷物と同じものを、印刷物発注者のプリンタ装置から前記印刷情報を出力させて得ることができるので、印刷物のサンプルの確認や完成した印刷物の納品のために印刷物発注者や印刷物作成者が互いに出向いたり、印刷物等を郵送するといった手間を省くことができ、印刷物のサンプル確認から完成した印刷物の納品までを簡単且つ短時間に行うことができる。
【００２０】
また、前記印刷物発注者のプリンタ装置からの前記印刷情報の出力操作は、印刷物発注者がコンピュータを操作して行うので、印刷物作成者の負担が無く、この分、印刷物作成費のコストダウンを図ることができる。
【００２１】
また、前記印刷物発注者のコンピュータには、印刷物の作成に必要なプログラムを備えている必要はなく、印刷物の作成の熟練者も必要としない。
【００２２】
更に、前記印刷情報はＧ／Ｗサーバのメモリ格納手段に格納してあるので、印刷物発注者のコンピュータの操作により、印刷物発注者の都合にあったタイミングで印刷物発注者のプリンタ装置から印刷物を出力させることができ、例えば、名刺やカタログ等を必要なときに必要な部数だけを即時に得ることができることになり、見込み発注による無駄を一切排除することができるといった効果がある。
【発明を実施するための最良の形態】
【００２３】
以下、本発明に係る印刷システムの実施の形態について説明する。  
図１は、本発明に係る印刷システムの実施の形態の第１例を示すブロック図である。同図において、１は印刷物の作成の依頼を受ける印刷物作成者、２は印刷物作成者１に備えられ印刷情報を作成する機能を有するコンピュータ、３は同じく印刷物作成者１に備えられ、前記コンピュータ２と接続されているＧ／Ｗサーバ、４は印刷物の作成を依頼する印刷物発注者、５は印刷物発注者４に備えられたプリンタ装置、１１は同じく印刷物発注者４に備えられたコンピュータであり、プリンタ装置５にはＩＰアドレスが割り当てられている。前記印刷物作成者１に備えられたＧ／Ｗサーバ３と印刷物発注者４に備えられたプリンタ装置５とコンピュータ１１は、電話回線を経由するインターネット６を介して接続されている。
【００２４】
前記印刷物作成者１に備えられているＧ／Ｗサーバ３にあっては、前記印刷物作成者１に備えられたコンピュータ２で作成された印刷情報を格納するメモリ格納手段７と制御手段８とで構成されている。
【００２５】
前記メモリ格納手段７は、印刷物作成者１のコンピュータ２が印刷情報の出力命令を出さなくても、コンピュータ２で作成した印刷情報を格納することができる。また、制御手段８には、前記印刷物発注者４のコンピュータ１１がインターネット６を介してＧ／Ｗサーバ３に印刷物発注者のコンピュータ１１に割り当てられたＩＰアドレスを指定して前記印刷情報の出力命令を出すと、前記Ｇ／Ｗサーバ３がインターネット６を介して印刷物発注者４の前記ＩＰアドレスが割り当てられたプリンタ装置５に、メモリ格納手段７に格納された前記印刷情報を出力命令するプログラムが組み込まれている。
【００２６】
また、前記印刷物発注者４に備えられたプリンタ装置５には、印刷物作成者１のプリンタ装置で印刷された印刷物と同じ印刷物を得られるようにするために、印刷物作成者１のプリンタ装置と同じ印刷条件、例えば、トナー条件、用紙条件等を備えている。
【００２７】
このような印刷システムによる印刷は、次のようにして実施される。  
まず、印刷物発注者４は、印刷物作成者１に印刷物の作成を依頼する。この印刷物作成の依頼の手段にあっては、ＦＡＸ、電話、手紙、その他特に限定されるものではない。
【００２８】
印刷物作成者１は印刷物発注者４からの印刷物作成の依頼があると、前記印刷物作成者１に備えられたコンピュータ２で印刷物をデザインする。印刷物作成者１は、印刷物のデザインが完成したら、印刷物発注者４に対する印刷物のサンプル確認用として、前記コンピュータ２を操作して、印刷物発注者４のＩＰアドレスを指定して前記印刷情報をＧ／Ｗサーバ３のメモリ格納手段７に格納する。
【００２９】
他方、印刷物発注者４は、コンピュータ１１を操作しインターネット６を介して前記Ｇ／Ｗサーバ３に、印刷物発注者のコンピュータ１１に割り当てられたＩＰアドレスを指定して前記印刷情報の出力命令を送信する。前記Ｇ／Ｗサーバ３に印刷物発注者４のコンピュータ１１から前記印刷情報の出力命令の送信があると、Ｇ／Ｗサーバ３がメモリ格納手段７に格納されている印刷情報を、インターネット６を介してＩＰアドレスの認識により位置情報が確定された印刷物発注者４のプリンタ装置５から前記印刷情報を出力させる。
【００３０】
これにより、印刷物発注者４はプリンタ装置５から依頼した印刷物のサンプルを得て、これを確認することができる。そして、印刷物発注者４はサンプルがイメージと相違しているときは、電話，ＦＡＸ、その他の手段により印刷物作成者１にデザインの修正や変更を求め、印刷物作成者１はデザインの修正や変更した印刷情報を前記手段により、Ｇ／Ｗサーバ３が有するメモリ格納手段７に格納し、印刷物発注者４は前記のように印刷物発注者のコンピュータ１１を操作して修正や変更した印刷情報をプリンタ装置５から出力させ確認することができる。
【００３１】
印刷物発注者４はサンプルに納得したときは、前記コンピュータ１１を操作して印刷情報を印刷物発注者４のプリンタ装置５から出力させ、出力させた印刷物を完成した印刷物として納品があったものとする。
【００３２】
これにより、印刷物のサンプルの確認や完成した印刷物の納品のために印刷物発注者４や印刷物作成者１が互いに出向いたり、印刷物等を郵送するといった手間を省くことができ、印刷物のサンプルの確認から完成した印刷物の納品までを簡単且つ短時間に行うことができる。
【００３３】
また、前記印刷物発注者４のプリンタ装置５からの前記印刷情報の出力操作は、印刷物発注者４がコンピュータ１１を操作して行うので、印刷物作成者の負担が無く、この分、印刷物作成費のコストダウンを図ることができる。
【００３４】
また、前記印刷物発注者４のコンピュータ１１には、印刷物の作成に必要なプログラムを備えている必要はなく、印刷物の作成の熟練者も必要としない。
【００３５】
更に、前記印刷情報はＧ／Ｗサーバ３が有するメモリ格納手段７に格納してあるので、印刷物発注者４のコンピュータ１１の操作により、印刷物発注者４の都合にあったタイミングで印刷物発注者４のプリンタ装置５から印刷物を出力させることができ、例えば、名刺やカタログ等を必要なときに必要な部数だけを即時に得ることができることになり、見込み発注による無駄を一切排除することができる。
【００３６】
なお、前記印刷物発注者４は、印刷物を求める直接のユーザーだけではなく、印刷物発注の仲介業者であってもよいことはもちろんである。
【００３７】
図２は、本発明に係る印刷システムの実施の形態の第２例を示すブロック図である。同図において、第１例を示す図１と共通の構成については同じ符号を付し、説明は省略する。
【００３８】
本例では、伝送管理センター９がＧ／Ｗサーバ３を備え、印刷物作成者１に印刷情報を作成するコンピュータ２を備え、印刷物発注者４にはＩＰアドレスが割り当てられたプリンタ装置５とコンピュータ１１を備え、前記印刷物作成者１に備えられているコンピュータ２と印刷物発注者４に備えられているプリンタ装置５とコンピュータ１１は、伝送管理センター９に備えられているＧ／Ｗサーバ３と電話回線を経由するインターネット６を介して接続されている。
【００３９】
前記伝送管理センター９に備えられているＧ／Ｗサーバ３にあっては、前記印刷物作成者１に備えられたコンピュータ２で作成された印刷情報を格納するメモリ格納手段７と制御手段８とで構成されている。
【００４０】
前記メモリ格納手段７は、印刷物作成者１のコンピュータ２が印刷情報の出力命令を出さなくても、コンピュータ２で作成した印刷情報を格納することができる。また、制御手段８には、前記第１例と同様に、前記印刷物発注者４のコンピュータ１１がインターネット６を介してＧ／Ｗサーバ３に印刷物発注者のコンピュータ１１に割り当てられたＩＰアドレスを指定して前記印刷情報の出力命令を出すと、前記Ｇ／Ｗサーバ３がインターネット６を介して印刷物発注者４の前記ＩＰアドレスが割り当てられたプリンタ装置５に、メモリ格納手段７に格納された前記印刷情報を出力命令するプログラムが組み込まれている。
【００４１】
このような印刷システムによる印刷は、次のようにして実施される。  
まず、印刷物発注者４は、印刷物作成者１に印刷物の作成を依頼する。この印刷物作成の依頼の手段にあっては、ＦＡＸ、電話、手紙、その他特に限定されるものではない。
【００４２】
印刷物作成者１は印刷物発注者４からの印刷物作成の依頼があると、前記印刷物作成者１に備えられたコンピュータ２で印刷物をデザインする。印刷物作成者１は、印刷物のデザインが完成したら、印刷物発注者４に対する印刷物のサンプル確認用として、前記コンピュータ２を操作して、印刷物発注者４のＩＰアドレスを指定し前記印刷情報をインターネット６を介して伝送管理センター９のＧ／Ｗサーバ３が有するメモリ格納手段７に格納する。
【００４３】
他方、印刷物発注者４は、コンピュータ１１を操作しインターネット６を介して前記Ｇ／Ｗサーバ３に、印刷物発注者のコンピュータ１１に割り当てられたＩＰアドレスを指定して前記印刷情報の出力命令を送信する。前記Ｇ／Ｗサーバ３に印刷物発注者４のコンピュータ１１から前記印刷情報の出力命令の送信があると、Ｇ／Ｗサーバ３がメモリ格納手段７に格納されている印刷情報を、インターネット６を介してＩＰアドレスの認識により位置情報が確定された印刷物発注者４のプリンタ装置５から前記印刷情報を出力させる。
【００４４】
これにより、印刷物発注者４はプリンタ装置５から依頼した印刷物のサンプルを得て、これを確認することができる。そして、印刷物発注者４はサンプルがイメージと相違しているときは、電話，ＦＡＸ、その他の手段により印刷物作成者１にデザインの修正や変更を求め、印刷物作成者１はデザインの修正や変更した印刷情報を前記手段により、Ｇ／Ｗサーバ３が有するメモリ格納手段７に格納し、印刷物発注者４は前記のように印刷物発注者のコンピュータ１１を操作して修正や変更した印刷情報をプリンタ装置５から出力させ確認することができる。
【００４５】
印刷物発注者４はサンプルに納得したときは、前記コンピュータ１１を操作して印刷情報を印刷物発注者４のプリンタ装置５から出力させ、出力させた印刷物を完成した印刷物として納品があったものとする。
【００４６】
これにより、印刷物のサンプルの確認や完成した印刷物の納品のために印刷物発注者４や印刷物作成者１が互いに出向いたり、印刷物等を郵送するといった手間を省くことができ、印刷物のサンプル確認から完成した印刷物の納品までを簡単且つ短時間に行うことができる。
【００４７】
また、前記印刷物発注者４のプリンタ装置５からの前記印刷情報の出力操作は、印刷物発注者４がコンピュータ１１を操作して行うので、印刷物作成者の負担が無く、この分、印刷物作成費のコストダウンを図ることができる。
【００４８】
また、前記印刷物発注者４のコンピュータ１１には、印刷物の作成に必要なプログラムを備えている必要はなく、印刷物の作成の熟練者も必要としない。
【００４９】
更に、前記印刷情報はＧ／Ｗサーバ３が有するメモリ格納手段７に格納してあるので、印刷物発注者４のコンピュータ１１の操作により、印刷物発注者４の都合にあったタイミングで印刷物発注者４のプリンタ装置５から印刷物を出力させることができ、例えば、名刺やカタログ等を必要なときに必要な部数だけを即時に得ることができることになり、見込み発注による無駄を一切排除することができる。
【００５０】
なお、前記印刷物発注者４は、印刷物を求める直接のユーザーだけではなく、印刷物発注の仲介業者であってもよいことはもちろんである。
【００５１】
図３は、本発明に係る印刷システムの実施の形態の第３例を示すブロック図である。同図において、第１例、第２例を示す図１、図２と共通の構成については同じ符号を付し、説明は省略する。
【００５２】
本例では、伝送管理センター９がＧ／Ｗサーバ３と該Ｇ／Ｗサーバ３と接続されたコンピュータ１０を備え、印刷物作成者１に印刷情報を作成するコンピュータ２を備え、印刷物発注者４にはＩＰアドレスが割り当てられたプリンタ装置５とコンピュータ１１を備え、前記印刷物作成者１に備えられているコンピュータ２は電話回線を経由するインターネット６を介して伝送管理センター９に備えられているコンピュータ１０と接続され、印刷物発注者４に備えられているプリンタ装置５とコンピュータ１１は、伝送管理センター９に備えられているＧ／Ｗサーバ３と電話回線を経由するインターネット６を介して接続されている。
【００５３】
前記伝送管理センター９に備えられているＧ／Ｗサーバ３にあっては、前記印刷物作成者１に備えられたコンピュータ２で作成された印刷情報を格納するメモリ格納手段７と制御手段８とで構成されている。
【００５４】
前記メモリ格納手段７は、印刷物作成者１のコンピュータ２が印刷情報の出力命令を出さなくても、コンピュータ２で作成した印刷情報を格納することができる。また、制御手段８には、前記第１例と同様に、前記印刷物発注者４のコンピュータ１１がインターネット６を介してＧ／Ｗサーバ３に印刷物発注者のコンピュータ１１に割り当てられたＩＰアドレスを指定して前記印刷情報の出力命令を出すと、前記Ｇ／Ｗサーバ３がインターネット６を介して印刷物発注者４の前記ＩＰアドレスが割り当てられたプリンタ装置５に、メモリ格納手段７に格納された前記印刷情報を出力命令するプログラムが組み込まれている。
【００５５】
このような印刷システムによる印刷は、次のようにして実施される。  
まず、印刷物発注者４は、印刷物作成者１に印刷物の作成を依頼する。この印刷物作成の依頼の手段にあっては、ＦＡＸ、電話、手紙、その他特に限定されるものではない。
【００５６】
印刷物作成者１は印刷物発注者４からの印刷物作成の依頼があると、前記印刷物作成者１に備えられたコンピュータ２で印刷物をデザインする。印刷物作成者１は、印刷物のデザインが完成したら、印刷物発注者４に対する印刷物のサンプル確認用として、前記コンピュータ２を操作して、印刷物発注者４のＩＰアドレスを指定し前記印刷情報をインターネット６及び伝送管理センター９のコンピュータ１０を介してＧ／Ｗサーバ３のメモリ格納手段７に格納する。
【００５７】
他方、印刷物発注者４は、コンピュータ１１を操作しインターネット６を介して前記Ｇ／Ｗサーバ３に、印刷物発注者のコンピュータ１１に割り当てられたＩＰアドレスを指定して前記印刷情報の出力命令を送信する。前記Ｇ／Ｗサーバ３に印刷物発注者４のコンピュータ１１から前記印刷情報の出力命令の送信があると、Ｇ／Ｗサーバ３がメモリ格納手段７に格納されている印刷情報を、インターネット６を介してＩＰアドレスの認識により位置情報が確定された印刷物発注者４のプリンタ装置５から前記印刷情報を出力させる。
【００５８】
これにより、印刷物発注者４はプリンタ装置５から依頼した印刷物のサンプルを得て、これを確認することができる。そして、印刷物発注者４はサンプルがイメージと相違しているときは、電話，ＦＡＸ、その他の手段により印刷物作成者１にデザインの修正や変更を求め、印刷物作成者１はデザインの修正や変更した印刷情報を前記手段により、Ｇ／Ｗサーバ３が有するメモリ格納手段７に格納し、印刷物発注者４は前記のように印刷物発注者のコンピュータ１１を操作して修正や変更した印刷情報をプリンタ装置５から出力させ確認することができる。
【００５９】
印刷物発注者４はサンプルに納得したときは、前記コンピュータ１１を操作して印刷情報を印刷物発注者４のプリンタ装置５から出力させ、出力させた印刷物を完成した印刷物として納品があったものとする。
【００６０】
これにより、印刷物のサンプルの確認や完成した印刷物の納品のために印刷物発注者４や印刷物作成者１が互いに出向いたり、印刷物等を郵送するといった手間を省くことができ、印刷物のサンプル確認から完成した印刷物の納品までを簡単且つ短時間に行うことができる。
【００６１】
また、前記印刷物発注者４のプリンタ装置５からの前記印刷情報の出力操作は、印刷物発注者４がコンピュータ１１を操作して行うので、印刷物作成者の負担が無く、この分、印刷物作成費のコストダウンを図ることができる。
【００６２】
また、前記印刷物発注者４のコンピュータ１１には、印刷物の作成に必要なプログラムを備えている必要はなく、印刷物の作成の熟練者も必要としない。
【００６３】
更に、前記印刷情報はＧ／Ｗサーバ３が有するメモリ格納手段７に格納してあるので、印刷物発注者４のコンピュータ１１の操作により、印刷物発注者４の都合にあったタイミングで印刷物発注者４のプリンタ装置５から印刷物を出力させることができ、例えば、名刺やカタログ等を必要なときに必要な部数だけを即時に得ることができることになり、見込み発注による無駄を一切排除することができる。
【００６４】
なお、前記印刷物発注者４は、印刷物を求める直接のユーザーだけではなく、印刷物発注の仲介業者であってもよいことはもちろんである。
【図面の簡単な説明】
【００６５】
【図１】本発明に係る印刷システムの実施の形態の第１例を示すブロック図である。
【図２】本発明に係る印刷システムの実施の形態の第２例を示すブロック図である。
【図３】本発明に係る印刷システムの実施の形態の第３例を示すブロック図である。
【符号の説明】
【００６６】
１  印刷物作成者
２  コンピュータ
３  Ｇ／Ｗサーバ
４  印刷物発注者
５  プリンタ装置
６  インターネット
７  メモリ格納手段
８  制御手段
９  伝送管理センター
１０  コンピュータ
１１  コンピュータ
【図１】
2005062982.tif 000003
【図２】
2005062982.tif 000004
【図３】
2005062982.tif 000005